【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
ビデオストリーム（１）の複数のピクチャ（１０、４０、４２、５０）のうちの１つのピクチャ（１０）の符号化表現（６０）を復号する方法であって、
前記ピクチャ（１０）の符号化表現（６０）から少なくとも１つの参照ピクチャ（４０、４２）を定義するバッファ記述情報を取得する工程（Ｓ３０）と、
前記バッファ記述情報に基づいて、前記少なくとも１つの参照ピクチャ（４０、４２）のうちの参照ピクチャ（４０、４２）の各々を示す少なくとも１つのピクチャ識別子を、前記ピクチャ（１０）の復号参照として決定する工程（Ｓ３１）と、
前記復号されたピクチャバッファ（５３０、６５０）に含まれる全ての参照ピクチャであり、且つ前記バッファ記述情報に基づいて決定された前記少なくとも１つのピクチャ識別子のいずれとも関連づけられていないピクチャを、参照に用いないものとしてマークすることにより、前記少なくとも１つのピクチャ識別子に基づいて、復号されたピクチャバッファ（５３０、６５０）を更新する工程（Ｓ３２）と、を有し、
前記バッファ記述情報を取得する前記工程（Ｓ３０）は、前記ピクチャ（１０）の符号化表現（６０）から、複数の参照ピクチャ（４０、４２）を定義する前記バッファ記述情報を取得する工程（Ｓ３０）を有し、
前記少なくとも１つのピクチャ識別子を決定する前記工程（Ｓ３１）は、前記バッファ記述情報に基づいて、ｉ）前記複数の参照ピクチャ（４０、４２）のうちの参照ピクチャ（４０、４２）の各々を示す少なくとも１つのピクチャ識別子を、該ピクチャ（１０）の復号参照として決定し、ｉｉ）前記複数の参照ピクチャ（４０、４２）のうちの参照ピクチャ（４２）の各々を示す少なくとも１つのピクチャ識別子を、前記ビデオストリーム（１）の復号順に係り後続するピクチャ（５０）の復号参照として決定する工程（Ｓ３１）を有する
ことを特徴とする方法。
【請求項２】
前記復号されたピクチャバッファ（５３０、６５０）を更新する前記工程（Ｓ３２）は、前記少なくとも１つのピクチャ識別子により示される前記参照ピクチャ（４０、４２）の各々を含むように前記復号されたピクチャバッファ（５３０、６５０）を更新する工程（Ｓ３２）を有することを特徴とする請求項１に記載の方法。
【請求項３】
前記ピクチャ（１０）の符号化表現（６０）及び前記復号されたピクチャバッファ（５３０、６５０）に含まれる少なくとも１つの参照ピクチャ（４０、４２）に基づいて前記ピクチャ（１０）を復号する工程（Ｓ３３）をさらに有し、
前記ピクチャ（１０）を復号する前記工程は、前記復号されたピクチャバッファ（５３０、６５０）の更新する工程の後に行われる
ことを特徴とする請求項１または２に記載の方法。
【請求項４】
前記復号されたピクチャバッファ（５３０、６５０）を更新する前記工程（Ｓ３２）は、前記復号されたピクチャバッファ（５３０、６５０）に含まれる参照ピクチャであって、前記バッファ記述情報に基づいて決定された前記少なくとも１つのピクチャ識別子のうちの１つのピクチャ識別子が関連づけられたピクチャを、参照に用いるものとして、好ましくは短期参照または長期参照に用いるものとしてマークする工程（Ｓ７０）を有することを特徴とする請求項１乃至３のいずれか１項に記載の方法。
【請求項５】
参照ピクチャのいずれかをマークする前記工程は、前記ピクチャ（１０）を復号する前記工程に先立って実行されることを特徴とする請求項１乃至４のいずれか１項に記載の方法。
【請求項６】
前記ピクチャ（１０）を復号する前記工程に先立って、表示用の前記復号されたピクチャバッファ（５３０、６５０）から０以上のピクチャを出力する工程（Ｓ７１）をさらに有することを特徴とする請求項１乃至５のいずれか１項に記載の方法。
【請求項７】
前記バッファ記述情報を取得する前記工程（Ｓ３０）は、前記ピクチャ（１０）の符号化表現（６０）のスライスヘッダ（６５）から前記バッファ記述情報を取得する工程を有することを特徴とする請求項１乃至６のいずれか１項に記載の方法。
【請求項８】
前記少なくとも１つのピクチャ識別子を決定する前記工程（Ｓ３１）は、
前記バッファ記述情報に基づいて、各デルタ識別子を取得する工程（Ｓ４０）と、
前記ピクチャ（１０）を示すピクチャ識別子及び前記各デルタ識別子に基づいて、前記少なくとも１つのピクチャ識別子を算出する工程（Ｓ４１）と、を有する
ことを特徴とする請求項１乃至７のいずれか１項に記載の方法。
【請求項９】
前記バッファ記述情報を取得する前記工程（Ｓ３０）は、
前記少なくとも１つの参照ピクチャ（４０、４２）を定義するバッファ記述を示す前記バッファ記述情報を、前記ピクチャ（１０）の符号化表現（６０）から取得する工程（Ｓ５１）と、
前記バッファ記述情報に基づいて、各々が少なくとも１つの参照ピクチャ（４０、４２）を定義する複数の予め定義されたバッファ記述を含む１つのデータ構造から、前記バッファ記述を同定する工程（Ｓ５２）と、を有する
ことを特徴とする請求項１乃至８のいずれか１項に記載の方法。
【請求項１０】
前記ビデオストリーム（１）の１つの符号化表現に関連づけられた、１つのピクチャパラメータセット（６７）または１つのシーケンスパラメータセット（６８）から前記データ構造を取得する工程（Ｓ５０）をさらに有することを特徴とする請求項９に記載の方法。
【請求項１１】
前記バッファ記述情報は、前記バッファ記述を示す識別子及び少なくとも１つの参照ピクチャ（４０、４２）を定義する情報を含み、
前記少なくとも１つのピクチャ識別子を決定する前記工程（Ｓ３１）は、
前記バッファ記述に基づいて、参照ピクチャの各々を示す少なくとも１つの参照ピクチャ（４０、４２）の第１のセットを決定する工程（Ｓ６０）と、
前記少なくとも１つの参照ピクチャ（４０、４２）を定義する情報に基づいて、参照ピクチャの各々を示す少なくとも１つのピクチャ識別子の第２のセットを決定する工程（Ｓ６１）と、
前記第１のセット及び前記第２のセットに基づいて、ピクチャ識別子のジョイントセットを形成する工程（Ｓ６２）と、を有する
ことを特徴とする請求項９または１０に記載の方法。
【請求項１２】
前記ジョイントセット内のピクチャ識別子の総数と参照ピクチャの最大数とを比較する工程（Ｓ６３）と、
前記ピクチャ識別子の総数が前記参照ピクチャの最大数を上回る場合に、前記第１のセットに含まれ、かつ前記第２のセットに含まれない１以上のピクチャ識別子を、前記ジョイントセット内のピクチャ識別子の総数が前記参照ピクチャの最大数を超えない数まで前記ジョイントセットから削除する工程（Ｓ６４）と、をさらに有する
ことを特徴とする請求項１１に記載の方法。
【請求項１３】
前記復号されたピクチャバッファ（５３０、６５０）を更新する前記工程（Ｓ３２）は、前記復号されたピクチャバッファ（５３０、６５０）内に存在し、前記バッファ記述情報から決定される前記少なくとも１つのピクチャ識別子のいずれかに関連付けられていない全ての参照ピクチャを、前記復号されたピクチャバッファ（５３０、６５０）から削除する工程（Ｓ７０）を有することを特徴とする請求項１乃至１２のいずれか１項に記載の方法。
【請求項１４】
前記決定された少なくとも１つのピクチャ識別子と、前記復号されたピクチャバッファ（５３０、６５０）内に存在する参照ピクチャが関連付けられたピクチャ識別子とを比較する工程（Ｓ７２）と、
所定のピクチャを示すピクチャ識別子が前記決定された少なくとも１つのピクチャ識別子から発見され、前記所定のピクチャが前記復号されたピクチャバッファ（５３０、６５０）に存在しない場合に、所定のピクチャが存在しないと決定する工程（Ｓ７３）と、をさらに有する
ことを特徴とする請求項１乃至１３のいずれか１項に記載の方法。
【請求項１５】
前記バッファ記述情報に基づいて、参照ピクチャリストの初期化を行う工程（Ｓ８０）をさらに有することを特徴とする請求項１乃至１４のいずれか１項に記載の方法。
【請求項１６】
前記少なくとも１つのピクチャ識別子を決定する前記工程（Ｓ３１）は、前記バッファ記述情報に基づいて、前記参照ピクチャ（４０、４２）の各々を示す少なくとも１つのピクチャオーダカウント（ＰＯＣ）値を、前記ピクチャ（１０）の復号参照として決定する工程（Ｓ３１）を有することを特徴とする請求項１乃至１５のいずれか１項に記載の方法。
【請求項１７】
前記少なくとも１つのＰＯＣ値を決定する前記工程（Ｓ３１）は、前記バッファ記述情報に基づいて、前記少なくとも１つのピクチャオーダカウント（ＰＯＣ）値と、前記参照ピクチャ（４０、４２）の各々を示す少なくとも１つの追加識別子とを、前記ピクチャ（１０）の復号参照として決定する工程（Ｓ３１）を有することを特徴とする請求項１６に記載の方法。
【請求項１８】
前記ビデオストリーム（１）は、複数のレイヤにグループ化されたピクチャ（１０、４０、４２、５０）を有するスケーラブルビデオストリームであり、
前記バッファ記述情報を取得する前記工程（Ｓ３０）は、前記少なくとも１つのピクチャ識別子を定義する前記バッファ記述情報と、前記参照ピクチャ（４０、４２）の各々が所属する前記複数のレイヤの各レイヤを定義するレイヤ情報とを取得する工程（Ｓ３０）を有する
ことを特徴とする請求項１乃至１７のいずれか１項に記載の方法。
【請求項１９】
ビデオストリーム（１）の複数のピクチャ（１０、４０、４２、５０）のうちの１つのピクチャ（１０）の符号化表現（６０）を復号する復号器（４００）であって、
前記ピクチャ（１０）の符号化表現（６０）から少なくとも１つの参照ピクチャ（４０、４２）を定義するバッファ記述情報を取得するデータ取得器（４１０）と、
前記バッファ記述情報に基づいて、前記少なくとも１つの参照ピクチャ（４０、４２）のうちの参照ピクチャ（４０、４２）の各々を示す少なくとも１つのピクチャ識別子を、前記ピクチャ（１０）の復号参照として決定するピクチャ識別子決定器（４２０）と、
復号されたピクチャバッファ（５３０）に含まれる全ての参照ピクチャであり、且つ前記バッファ記述情報に基づいて決定された前記少なくとも１つのピクチャ識別子のいずれとも関連づけられていないピクチャを、参照に用いないものとしてマークすることにより、前記少なくとも１つのピクチャ識別子に基づいて、前記復号されたピクチャバッファ（５３０）を更新するバッファマネージャ（４３０）と、を有し、
前記データ取得器（４１０）は、前記ピクチャ（１０）の符号化表現（６０）から、複数の参照ピクチャ（４０、４２）を定義する前記バッファ記述情報を取得し、
前記ピクチャ識別子決定器（４２０）は、前記バッファ記述情報に基づいて、ｉ）前記複数の参照ピクチャ（４０、４２）の参照ピクチャ（４０、４２）の各々を示す少なくとも１つのピクチャ識別子を、該ピクチャ（１０）の復号参照として決定し、ｉｉ）前記複数の参照ピクチャ（４０、４２）のうちの参照ピクチャ（４２）の各々を示す少なくとも１つのピクチャ識別子を、前記ビデオストリーム（１）の復号順に係り後続するピクチャ（５０）の復号参照として決定する
ことを特徴とする復号器。
【請求項２０】
前記バッファマネージャ（４３０）は、前記少なくとも１つのピクチャ識別子により示される前記参照ピクチャ（４０、４２）の各々を含むように前記復号されたピクチャバッファ（５３０）を更新することを特徴とする請求項１９に記載の復号器。
【請求項２１】
前記復号器（４００）は、前記バッファマネージャ（４３０）が前記復号されたピクチャバッファ（５３０）を更新した後に、前記ピクチャ（１０）の符号化表現（６０）及び前記復号されたピクチャバッファ（５３０）に含まれる少なくとも１つの参照ピクチャ（４０、４２）に基づいて前記ピクチャ（１０）を復号することを特徴とする請求項１９または２０に記載の復号器。
【請求項２２】
前記バッファマネージャ（４３０）は、前記復号されたピクチャバッファ（５３０）に含まれる参照ピクチャであって、前記バッファ記述情報に基づいて決定された前記少なくとも１つのピクチャ識別子のうちの１つのピクチャ識別子が関連づけられたピクチャを、参照に用いるものとして、好ましくは短期参照または長期参照に用いるものとしてマークすることを特徴とする請求項１９乃至２１のいずれか１項に記載の復号器。
【請求項２３】
前記バッファマネージャ（４３０）は、前記復号器（４００）が前記ピクチャ（１０）を復号することに先立っていずれかの参照ピクチャをマーク付けすることを特徴とする請求項１９乃至２２のいずれか１項に記載の復号器。
【請求項２４】
前記復号器（４００）が前記ピクチャ（１０）を復号することに先立って、表示用の前記復号されたピクチャバッファ（５３０）から０以上のピクチャを出力する出力部（４５０）をさらに有することを特徴とする請求項１９乃至２３のいずれか１項に記載の復号器。
【請求項２５】
前記データ取得器（４１０）は、前記ピクチャ（１０）の符号化表現（６０）のスライスヘッダ（６５）から前記バッファ記述情報を取得することを特徴とする請求項１９乃至２４のいずれか１項に記載の復号器。
【請求項２６】
前記ピクチャ識別子決定器（４２０）は、ｉ）前記バッファ記述情報に基づいて、各デルタ識別子を取得し、ｉｉ）前記ピクチャ（１０）を示すピクチャ識別子及び前記各デルタ識別子に基づいて、前記少なくとも１つのピクチャ識別子を算出することを特徴とする請求項１９乃至２５のいずれか１項に記載の復号器。
【請求項２７】
前記データ取得器（４１０）は、前記少なくとも１つの参照ピクチャ（４０、４２）を定義するバッファ記述を示す前記バッファ記述情報を、前記ピクチャ（１０）の符号化表現（６０）から取得し、
前記復号器（４００）は、前記バッファ記述情報に基づいて、各々が少なくとも１つの参照ピクチャ（４０、４２）を定義する複数の予め定義されたバッファ記述を含む１つのデータ構造から、前記バッファ記述を同定するバッファ記述同定器（４８０）をさらに有する
ことを特徴とする請求項１９乃至２６のいずれか１項に記載の復号器。
【請求項２８】
前記データ取得器（４１０）は、前記ビデオストリーム（１）の１つの符号化表現に関連づけられた、１つのピクチャパラメータセット（６７）または１つのシーケンスパラメータセット（６８）から前記データ構造を取得することを特徴とする請求項２７に記載の復号器。
【請求項２９】
前記バッファ記述情報は、前記バッファ記述を示す識別子及び少なくとも１つの参照ピクチャ（４０、４２）を定義する情報を含み、
前記ピクチャ識別子決定器（４２０）は、ｉ）前記バッファ記述に基づいて、参照ピクチャの各々を示す少なくとも１つのピクチャ識別子の第１のセットを決定し、ｉｉ）前記少なくとも１つの参照ピクチャ（４０、４２）を定義する情報に基づいて、参照ピクチャの各々を示す少なくとも１つのピクチャ識別子の第２のセットを決定し、ｉｉｉ）前記第１のセット及び前記第２のセットに基づいて、ピクチャ識別子のジョイントセットを形成する
ことを特徴とする請求項２７または２８に記載の復号器。
【請求項３０】
前記ジョイントセット内のピクチャ識別子の総数と参照ピクチャの最大数とを比較する数値比較器（４４０）をさらに有し、
前記ピクチャ識別子決定器（４２０）は、前記ピクチャ識別子の総数が前記参照ピクチャの最大数を上回る場合に、前記第１のセットに含まれ、かつ前記第２のセットに含まれない１以上のピクチャ識別子を、前記ジョイントセット内のピクチャ識別子の総数が前記参照ピクチャの最大数を超えない数まで前記ジョイントセットから削除する
ことを特徴とする請求項２９に記載の復号器。
【請求項３１】
前記バッファマネージャ（４３０）は、前記復号されたピクチャバッファ（５３０）内に格納され、前記バッファ記述情報から決定される前記少なくとも１つのピクチャ識別子のいずれかに関連付けられていない全ての参照ピクチャを、前記復号されたピクチャバッファ（５３０）から削除することを特徴とする請求項１９乃至３０のいずれか１項に記載の復号器。
【請求項３２】
前記決定された少なくとも１つのピクチャ識別子と、前記復号されたピクチャバッファ（５３０）内に存在する参照ピクチャが関連付けられたピクチャ識別子とを比較する識別子比較器（４６０）をさらに有し、
前記ピクチャ識別子決定器（４２０）は、所定のピクチャを示すピクチャ識別子が前記決定された少なくとも１つのピクチャ識別子から発見され、前記所定のピクチャが前記復号されたピクチャバッファ（５３０）に存在しない場合に、所定のピクチャが存在しないと決定する
ことを特徴とする請求項１９乃至３１のいずれか１項に記載の復号器。
【請求項３３】
前記バッファ記述情報に基づいて、参照ピクチャリストの初期化を行うリストマネージャ（４７０）をさらに有することを特徴とする請求項１９乃至３２のいずれか１項に記載の復号器。
【請求項３４】
ビデオストリーム（１）の複数のピクチャ（１０、４０、４２、５０）の符号化表現（６０）を受信する入力部（５１０）と、
前記複数のピクチャ（１０、４０、４２、５０）の符号化表現（６０）を復号する、請求項１９乃至３３のいずれか１項に記載の復号器（４００）と、
前記ビデオストリーム（１）の復号されたピクチャを出力する出力部（５２０）と、を有する
ことを特徴とする受信機（５００）。
【請求項３５】
ビデオストリーム（１）の複数のピクチャ（１０、４０、４２、５０）の符号化表現（６０）を受信する入力部（６１０）と、
メモリ（６４０）に格納されたコンピュータプログラムのコード手段を処理するプロセッサ（６３０）であって、前記コード手段が該プロセッサ（６３０）において実行された場合に、
ピクチャ（１０）の符号化表現（６０）から少なくとも１つの参照ピクチャ（４０、４２）を定義するバッファ記述情報を取得し、
前記バッファ記述情報に基づいて、前記少なくとも１つの参照ピクチャ（４０、４２）の各々を示す少なくとも１つのピクチャ識別子を、前記ピクチャ（１０）の復号参照として決定し、
復号されたピクチャバッファ（６５０）に含まれる全ての参照ピクチャであり、且つ前記バッファ記述情報に基づいて決定された前記少なくとも１つのピクチャ識別子のいずれとも関連づけられていないピクチャを、参照に用いないものとしてマークすることにより、前記少なくとも１つのピクチャ識別子に基づいて、前記復号されたピクチャバッファ（６５０）を更新し、
前記コード手段が該プロセッサ（６３０）において実行された場合に、
前記ピクチャ（１０）の前記符号化表現（６０）から複数の参照ピクチャ（４０、４２）を定義する前記バッファ記述情報を取得し、
前記バッファ記述情報に基づいて、ｉ）前記複数の参照ピクチャ（４０、４２）の各々を示す少なくとも１つのピクチャ識別子を、前記ピクチャ（１０）の復号参照として決定し、ｉｉ）前記複数の参照ピクチャ（４０、４２）のうちの参照ピクチャ（４２）の各々を示す少なくとも１つのピクチャ識別子を、前記ビデオストリーム（１）の復号順に係り後続するピクチャ（５０）の復号参照として決定するプロセッサ（６３０）と、
前記ビデオストリーム（１）の復号されたピクチャを出力する出力部（６２０）と、を有する
ことを特徴とする復号器（６００）。
【請求項３６】
ビデオストリーム（１）の複数のピクチャ（１０、４０、４２、５０）のうちの１つのピクチャ（１０）を符号化する方法であって、
前記複数のピクチャ（１０、４０、４２、５０）のうちの少なくとも１つの参照ピクチャを、前記ピクチャ（１０）の符号化参照として決定する工程（Ｓ１）と、
前記少なくとも１つの参照ピクチャ（４０、４２）の各々について、前記参照ピクチャ（４０、４２）を示すピクチャ識別子を提供する工程（Ｓ２）と、
前記少なくとも１つのピクチャ識別子に基づいて、前記少なくとも１つの参照ピクチャ（４０、４２）を定義するバッファ記述情報を生成する工程（Ｓ３）と、
前記ピクチャ（１０）の符号化表現（６０）内に前記バッファ記述情報を挿入する工程（Ｓ４）と、を有し、
前記少なくとも１つの参照ピクチャ（４０、４２）を決定する工程（Ｓ１）は、前記ピクチャ（１０）に対し、前記複数のピクチャ（１０、４０、４２、５０）のうちの参照ピクチャ（４０、４２）のいずれかを前記ピクチャ（１０）の符号化参照として決定し、前記複数のピクチャ（１０、４０、４２、５０）のうちの参照ピクチャ（４２）のいずれかを、前記ビデオストリーム（１）の復号順に係り後続するピクチャ（５０）の符号化参照として決定する工程（Ｓ１）を有する
ことを特徴とする方法。
【請求項３７】
前記ピクチャ（１０）は、少なくとも１つのスライス（２０、２２）を含み、
前記少なくとも１つの参照ピクチャ（４０、４２）を決定する工程（Ｓ１）は、前記複数のピクチャ（１０、４０、４２、５０）のうちの少なくとも１つの参照ピクチャ（４０、４２）を、前記ピクチャ（１０）の少なくとも１つのスライス（２０、２２）用に決定する工程を有し、
前記バッファ記述情報を挿入する工程（Ｓ４）は、前記ピクチャ（６０）の符号化表現（６０）のスライスヘッダ（６５）の各々に含まれる前記バッファ記述情報を、前記ピクチャ（１０）のスライス（２０、２２）の各々に挿入する工程を有する
ことを特徴とする請求項３６に記載の方法。
【請求項３８】
前記少なくとも１つのピクチャ識別子の各々について、前記ピクチャ識別子と前記ピクチャ（１０）を示すピクチャ識別子との差を算出する工程（Ｓ１０）をさらに有し、
前記バッファ記述情報を生成する工程（Ｓ３）は、前記少なくとも１つの差に基づいて、前記ピクチャ（１０）を示すピクチャ識別子に関連した前記少なくとも１つのピクチャ識別子を定義する前記バッファ記述情報を生成する工程を有する
ことを特徴とする請求項３６または３７に記載の方法。
【請求項３９】
各々が少なくとも１つの参照ピクチャ（４０、４２）を定義する複数の所定のバッファ記述を含むデータ構造を生成する工程（Ｓ２０）をさらに有し、
前記バッファ記述情報を生成する工程（Ｓ３）は、
前記少なくとも１つのピクチャ識別子に基づいて、前記データ構造のバッファ記述を選択する工程（Ｓ２３）と、
前記選択されたバッファ記述の識別子を含む前記バッファ記述情報を生成する工程（Ｓ２４）と、を有する
ことを特徴とする請求項３６乃至３８のいずれか１項に記載の方法。
【請求項４０】
前記ビデオストリーム（１）の符号化表現に関連付けられた、ピクチャパラメータセット（６７）またはシーケンスパラメータセット（６８）に前記データ構造を挿入する工程（Ｓ２１）と、
前記バッファ記述情報の一部として、前記ピクチャ（１０）の符号化表現（６０）のスライスヘッダ（６５）に前記ピクチャパラメータセット（６７）または前記シーケンスパラメータセット（６８）の識別子を挿入する工程（Ｓ２２）と、を有する
ことを特徴とする請求項３９に記載の方法。
【請求項４１】
前記バッファ記述情報を生成する工程（Ｓ３）は、前記選択されたバッファ記述の識別子と、前記少なくとも１つの参照ピクチャ（４０、４２）の参照ピクチャを定義する情報とを含む前記バッファ記述情報を生成する工程を有することを特徴とする請求項３９または４０に記載の方法。
【請求項４２】
前記少なくとも１つの参照ピクチャ（４０、４２）を決定する工程（Ｓ１）は、
少なくとも１つの側面拘束に従って、前記ピクチャ（１０）に対し、前記ピクチャ（１０）の符号化表現（６０）の圧縮効率を最大化することにより前記少なくとも１つの参照ピクチャ（４０、４２）を決定する工程であって、
前記側面拘束は、
ｉ）参照ピクチャ（４０、４２）の所定の最大数、および
ｉｉ）ピクチャの少なくとも１つの符号化表現が前記ビデオストリーム（１）の符号化表現から削除された場合にも、前記ビデオストリーム（１）の復号可能な符号化表現を生成すること、
から選択される
ことを特徴とする請求項３６乃至４１のいずれか１項に記載の方法。
【請求項４３】
ビデオストリーム（１）の複数のピクチャ（１０、４０、４２、５０）のうちの１つのピクチャ（１０）を符号化する符号化器（１００）であって、
前記複数のピクチャ（４０、４２、５０）のうちの少なくとも１つの参照ピクチャ（４０、４２）を、前記ピクチャ（１０）の符号化参照として決定する参照ピクチャ決定器（１１０）と、
前記少なくとも１つの参照ピクチャ（４０、４２）の各々について、前記参照ピクチャ（４０、４２）を示すピクチャ識別子を提供するピクチャ識別子提供器（１２０）と、
前記少なくとも１つのピクチャ識別子に基づいて、前記少なくとも１つの参照ピクチャ（４０、４２）を定義するバッファ記述情報を生成するバッファ記述情報生成器（１３０）と、
前記ピクチャ（１０）の符号化表現（６０）内に前記バッファ記述情報を挿入するデータ挿入器（１４０）と、を有し、
前記参照ピクチャ決定器（１１０）は、前記ピクチャ（１０）に対し、前記複数のピクチャ（１０、４０、４２、５０）のうちの参照ピクチャ（４０、４２）のいずれかを前記ピクチャ（１０）の符号化参照として決定し、前記複数のピクチャ（１０、４０、４２、５０）のうちの参照ピクチャ（４２）のいずれかを、復号順に係り後続するピクチャ（５０）の符号化参照として決定する
ことを特徴とする符号化器。
【請求項４４】
前記ピクチャ（１０）は、少なくとも１つのスライス（２０、２２）を含み、
前記参照ピクチャ決定器（１１０）は、前記複数のピクチャ（１０、４０、４２、５０）の少なくとも１つの参照ピクチャ（４０、４２）を、前記ピクチャ（１０）の少なくとも１つのスライス（２０、２２）用に決定し、
前記データ挿入器（１４０）は、前記ピクチャ（１０）の符号化表現（６０）のスライスヘッダ（６５）の各々に含まれる前記バッファ記述情報を、前記ピクチャ（１０）のスライス（２０、２２）の各々に挿入する
ことを特徴とする請求項４３に記載の符号化器。
【請求項４５】
前記少なくとも１つのピクチャ識別子の各々について、前記ピクチャ識別子と前記ピクチャ（１０）を示すピクチャ識別子との差を算出する識別子算出器（１５０）をさらに有し、
前記バッファ記述情報生成器（１３０）は、前記少なくとも１つの差に基づいて、前記ピクチャ（１０）を示すピクチャ識別子に関連した前記少なくとも１つのピクチャ識別子を定義する前記バッファ記述情報を生成する
ことを特徴とする請求項４３または４４に記載の符号化器。
【請求項４６】
各々が少なくとも１つのピクチャ識別子を定義する複数の所定のバッファ記述を含むデータ構造を生成するデータ構造生成器（１６０）をさらに有し、
前記バッファ記述情報生成器（１３０）は、ｉ）前記少なくとも１つのピクチャ識別子に基づいて、前記データ構造のバッファ記述を選択し、ｉｉ）前記選択されたバッファ記述の識別子を含む前記バッファ記述情報を生成する
ことを特徴とする請求項４３乃至４５のいずれか１項に記載の符号化器。
【請求項４７】
前記データ挿入器（１４０）は、ｉ）前記ビデオストリーム（１）の符号化表現に関連付けられた、ピクチャパラメータセット（６７）またはシーケンスパラメータセット（６８）に前記データ構造を挿入し、ｉｉ）前記バッファ記述情報の一部として、前記ピクチャ（１０）の符号化表現（６０）のスライスヘッダ（６５）に前記ピクチャパラメータセット（６７）または前記シーケンスパラメータセット（６８）の識別子を挿入することを特徴とする請求項４６に記載の符号化器。
【請求項４８】
前記バッファ記述情報生成器（１３０）は、前記選択されたバッファ記述の識別子と、前記少なくとも１つの参照ピクチャ（４０、４２）のうちの１つの参照ピクチャを定義する情報とを含む前記バッファ記述情報を生成することを特徴とする請求項４６または４７に記載の符号化器。
【請求項４９】
ビデオストリーム（１）の複数のピクチャ（１０、４０、４２、５０）を受信する入力部（２１０）と、
前記複数のピクチャ（１０、４０、４２、５０）の符号化表現（６０）の各々を生成するために、前記複数のピクチャ（１０、４０、４２、５０）を符号化する、請求項４３乃至４８のいずれか１項に記載の符号化器（１００）と、
前記複数のピクチャ（１０、４０、４２、５０）の符号化表現（６０）の各々を出力する出力部（２２０）と、を有する
ことを特徴とする送信機（２００）。
【請求項５０】
ビデオストリーム（１）の複数のピクチャ（１０、４０、４２、５０）を受信する入力部（３１０）と、
メモリ（３４０）に格納されたコンピュータプログラムのコード手段を処理するプロセッサ（３３０）であって、前記コード手段が該プロセッサ（３３０）において実行された場合に、
前記ビデオストリーム（１）の１つのピクチャ（１０）について、前記複数のピクチャ（１０、４０、４２、５０）のうちの少なくとも１つの参照ピクチャ（４０、４２）を、該ピクチャ（１０）の符号化参照として決定し、
前記少なくとも１つの参照ピクチャ（４０、４２）の各々について、前記参照ピクチャ（４０、４２）を示すピクチャ識別子を提供し、
前記少なくとも１つのピクチャ識別子に基づいて、前記少なくとも１つの参照ピクチャ（４０、４２）を定義するバッファ記述情報を生成し、
前記ピクチャ（１０）の符号化表現（６０）に前記バッファ記述情報を挿入し、
前記ピクチャ（１０）について、前記複数のピクチャ（１０、４０、４２、５０）のうちの参照ピクチャ（４０、４２）のいずれかを前記ピクチャ（１０）の符号化参照として決定し、前記複数のピクチャ（１０、４０、４２、５０）のうちの参照ピクチャ（４２）のいずれかを、前記ビデオストリーム（１）の復号順に係り後続するピクチャ（５０）の符号化参照として決定するプロセッサ（３３０）と、
ピクチャ（１０）の符号化表現（６０）を出力する出力部（３２０）と、を有する
ことを特徴とする符号化器（３００）。